(57)【特許請求の範囲】
【請求項１】
傾斜面に支柱を鉛直に立設するための支柱立設具において、
取り付け面に固定される基台と、
前記基台上に配置され、前記支柱の下端部を保持する支柱保持部を有する支柱支持体と、
前記支柱保持部が鉛直状体となるように前記基台上に前記支柱支持体を固定する固定ボルトと、
を備え、
前記支柱支持体は、
底部裏面に設けられた凸部と、
前記支柱保持部の側面から突出するようにして設けられた複数の固定片であって、裏面側が基端側から先端側に向かって所定の角度で傾斜した傾斜面とされると共に、先端側の表面にはドーム状に盛り上がったドーム部が形成され、当該ドーム部の頂部を貫通するようにして穿設された前記固定ボルトを挿通するための第１の挿通孔が設けられた固定片と、
を有し、
前記基台は、
前記支柱支持体に設けられた前記凸部が収容され、前記支柱保持部の傾斜の中心となる凹部と、
前記固定ボルトの頭部を回転不能に収容すると共に、前記固定ボルトの挿通方向を調整するためのザグリ加工が施された固定ボルト収容部が設けられた第２の挿通孔と、
を有し、
前記基台に設けられた前記凹部に前記支柱支持体に設けられた前記凸部を収容し、前記凸部を基点として前記基台に対する前記支柱支持体の角度を自由に設定することにより前記支柱保持部を前記基台に対して相対的に傾斜させて当該支柱保持部を鉛直状体とし、この鉛直状体が維持されるように前記固定ボルトによって前記支柱支持体を前記基台に固定することにより傾斜面に支柱を鉛直に立設するようにしたことを特徴とする支柱立設具。
【請求項２】
請求項１に記載の支柱立設具において、
前記基台には、取り付け面に設けられたアンカーボルトに固定するためのボルト孔が設けられていることを特徴とする支柱立設具。
【請求項３】
請求項１又は２に記載の支柱立設具において、
前記第１の挿通孔は、
前記ドーム部の頂部を貫通するようにして下方側が広く上方側が狭い略円錐台形状に穿設したことを特徴とする支柱立設具。
【請求項４】
請求項１から３のいずれか１項に記載の支柱立設具において、
さらに、前記支柱支持体を前記基台に固定した前記固定ボルトを覆い隠すカバー部材を備えていることを特徴とする支柱立設具。
【発明の詳細な説明】
【技術分野】
【０００１】
本発明は、支柱立設具に関し、特に、傾斜面に支柱を鉛直に立設することが可能な支柱立設具に関する。
【背景技術】
【０００２】
坂道や階段などの歩行路等においては、足の不自由な人をサポートするために歩行路等の片側又は両側に木製、金属製或いは樹脂製等の手摺りが所定の高さに設けられている。この手摺りは地面に鉛直に立設された複数の支柱に架け渡すようにして取り付けられ、各支柱の下部は路面（地面）に固定された保持具等によってそれぞれ固定されている。
【０００３】
このような保持具の一例が、例えば特許文献１に示されている。引用文献１に示された柱脚スタンドは、床面にアンカーボルト又はねじ釘等で固定される取付ベース板及び上向きに筒状を成す支柱固定部のほか、取付ベース板の上に重ねて設置される柱脚ホルダと、更に、取付ベース板と柱脚ホルダとを支柱固定部の垂直度を調整可能にして連結する連結部材とを備える。これにより、支柱の下部を床面に対する垂直度を調整して立設することが可能になる。
【先行技術文献】
【特許文献】
【０００４】
【特許文献１】特開２００６−３２８８０４号公報
【発明の概要】
【発明が解決しようとする課題】
【０００５】
しかしながら、上述した従来の柱脚スタンドは、構成部品が床側に配置される取付ベース板、この取付ベース板に取り付けられる柱脚ホルダ、複数のボルト及びナット等から成るために部品数が多くなり、コストダウンが図れず、また、組み立てに時間を要するという問題がある。
【０００６】
そこで、本発明は、かかる問題点に鑑みなされたもので、支柱を鉛直に立設するための支柱支持具において、構造が簡単で、部品点数の低減を図ることができると共に、固定面への取り付けが簡単で、しかもメンテナンス性の高い支柱支持具を提供することを目的とする。
【課題を解決するための手段】
【０００７】
上記課題を解決するために請求項１に記載の発明は、傾斜面に支柱を鉛直に立設するための支柱立設具において、取り付け面に固定される基台と、基台上に配置され、支柱の下端部を保持する支柱保持部を有する支柱支持体と、支柱保持部が鉛直状態となるように基台上に支柱支持体を固定する固定ボルトとを備え、支柱支持体は、底部裏面に設けられた凸部と、支柱保持部の側面から突出するようにして設けられた複数の固定片であって、裏面側が基端側から先端側に向かって所定の角度で傾斜した傾斜面とされると共に、先端側の表面にはドーム状に盛り上がったドーム部が形成され、ドーム部の頂部を貫通するようにして穿設された固定ボルトを挿通するための第１の挿通孔が設けられた固定片とを有し、基台は、支柱支持体に設けられた凸部が収容され、支柱保持部の傾斜の中心となる凹部と、固定ボルトの頭部を回転不能に収容すると共に、固定ボルトの挿通方向を調整するためのザグリ加工が施された固定ボルト収容部が設けられた第２の挿通孔とを有し、基台に設けられた凹部に支柱支持体に設けられた凸部を収容し、前記凸部を基点として前記基台に対する前記支柱支持体の角度を自由に設定することにより支柱保持部を基台に対して相対的に傾斜させて支柱保持部を鉛直状態とし、この鉛直状態が維持されるように固定ボルトによって支柱支持体を基台に固定することにより傾斜面に支柱を鉛直に立設するようにしたことを特徴とする。
【０００８】
上記課題を解決するために請求項２に記載の本発明は、請求項１に記載の支柱立設具において、基台には、取り付け面に設けられたアンカーボルトに固定するためのボルト孔が設けられていることを特徴とする。
【０００９】
上記課題を解決するために請求項３に記載の本発明は、請求項１又は２に記載の支柱立設具において、第１の挿通孔は、ドーム部の頂部を貫通するようにして下方側が広く上方側が狭い略円錐台形状に穿設したことを特徴とする。
【００１０】
上記課題を解決するために請求項４に記載の本発明は、請求項１から３のいずれか１項に記載の支柱立設具において、さらに、支柱支持体を基台に固定した固定ボルトを覆い隠すカバー部材を備えていることを特徴とする。
【発明の効果】
【００１１】
本発明に係る支柱立設具によれば、構造が簡単であるため部品点数の低減を図ることができ、且つ、メンテナンス性を高めることができるという効果がある。
【図面の簡単な説明】
【００１２】
【図１】本発明に係る支柱立設具の一実施形態を示す斜視図である。
【図２】（ａ）は平面図、（ｂ）はＡ−Ａ断面図である。
【図３】図２（ｂ）に示す状態から基台に対して支柱支持体を傾斜させた状態を示す断面図である。
【図４】本発明に係る支柱立設具に支柱等を取り付けた状態を示す正面図である。
【発明を実施するための形態】
【００１３】
描く
以下、本発明に係る支柱立設具について、好ましい一実施形態に基づいて詳細に説明する。図１は本発明に係る支柱立設具の一実施形態を示す斜視図、図２（ａ）は平面図、図２（ｂ）はＡ−Ａ断面図である。
【００１４】
［支柱立設具の構成］
図示された支柱立設具１は、概略として、支柱４（図４参照）の下端側を保持して支柱４を鉛直に立設支持する支柱保持部２１を備えた支柱支持体２と、支柱支持体２が所定の傾斜角をもって載置固定される基台３であって、路面、地面又は床面等に固定される円板形状の基台３とを備えて構成されている。支柱支持体２及び基台３は堅牢性を確保するため金属製とすることが好ましいが、特に材質を限定するものではなく、強固な樹脂製とすることも可能である。また、図４に示すように、支柱立設具１の取り付け完了後に基台３及び支柱支持体２の上面の固定ボルトやナットを覆い隠すカバー部材４０が取り付けられる。
【００１５】
［支柱支持体２の構成］
支柱支持体２は、図１及び図２（ａ），（ｂ）に示すように、概略として、有底円筒形状を有し、その内部に支柱が挿入される支柱保持部２１と、支柱保持部２１の下端側に放射状に設けられた固定片２２，２２と、図２（ｂ）に示すように支柱保持部２１の底部の中心に下方側へ突出するようにして形成されて基台３に設けられた凹部３４に収容される凸部２７とを備えて構成されている。本実施形態では固定片２２，２２は十字状に４つ設けられており、各固定片２２，２２の先端部側には第１の挿通孔２１ａ，２１ａが設けられている。尚、固定片２２，２２は４つに限らず、それ以上でも又は３つであっても良い。また、固定片２２，２２の裏面は、図２（ｂ）に示すように、先端部側（外側）向かって上方側に傾斜した傾斜面とされている。即ち、固定片２２，２２の裏面は先端側が上方に持ち上がった形状となっている。このように、固定片２２，２２の裏面を傾斜させたことにより、図３に示すように、支柱支持体２は基台３に対して所定の角度（例えば１０．５°）まで傾けた状態で固定することができるようになる。尚、固定片２２，２２の下面の傾斜角を変えることによって、基台３に対する支柱保持部２１の角度を自由に設定することができる。尚、傾斜角度は１０．５°に限るものではなく、適宜の角度で傾斜可能に形成することができる。さらに、固定片２２，２２の上面にはドーム部２２ａ，２２ａが形成されている。また、支柱保持部２１の底面には水抜き孔を穿設しておくと良い。
【００１６】
また、第１の挿通孔２１ａ，２１ａは、固定片２２，２２の先端側の表面に設けられたドーム状に盛り上がったドーム部２２ａ，２２ａの頂部を貫通するようにして穿設されている。また、第１の挿通孔２１ａ，２１ａは、下方側の開口幅が上方側の開口幅が相対的に広く形成されており、その断面形状は略円錐台形状とされている。第１の挿通孔２１ａ，２１ａをドーム部２２ａ，２２ａの頂部に形成することにより、基台３に対して支柱保持部２１が傾斜して配置されてもボルト３３，３３に挿通された平板状のワッシャ３５の下面が傾斜してもドーム部２２ａの表面と適宜に接触できるので固定片２２，２２の表面との干渉を防止することが可能となる。また、第１の挿通孔２１ａ，２１ａの断面形状を略円錐台形状とすることにより支柱支持体２の基台３に対する相対的な傾斜を許容してボルト３３，３３を所定の角度で挿通することが可能となる。尚、ボルト３３，３３の挿通方向の調整を行うためには第１の挿通孔２１ａ，２１ａを固定片２２，２２の長手方向に長い長円形状に形成することもできる。
【００１７】
［基台３の構成］
次に、基台３は、図１及び図２（ａ）に示すように、概略として、支柱支持体２の固定片２２，２２に設けられた第１の挿通孔２１ａ，２１ａと対応するようにして同心円上に設けられた第２の挿通孔３１，３１と、それぞれの第２の挿通孔３１，３１の相互間に円周方向に伸びる楕円形状に穿設された第３の挿通孔３２，３２と、支柱支持体２の下部に設けられた凸部２７を収容する凹部３４を備えて構成されている。第２の挿通孔３１，３１と第１の挿通孔２１ａ，２１ａと合致させ、固定ボルト３３，３３を貫通させてナット３６で固定することにより支柱支持体２が基台３に所定の角度で固定される。尚、第３の挿通孔３２，３２には設置面に固定した図示しないアンカーボルトが挿通されて図示しないナットにより設置面に固定される。
【００１８】
図２（ｂ）に示すように、第２の挿通孔３１，３１は、固定ボルト３３，３３の頭部が嵌合可能な形状の固定ボルト収容部３７，３７を備えており、第２の挿通孔３１，３１に嵌入された固定ボルト３３，３３の空回りを防止することができるように形成されている。また、固定ボルト収容部３７，３７はザグリ加工３７ａ，３７ａによって固定ボルト３３，３３の傾斜を許容可能な形状とされており、これによって固定ボルト３３，３３は所定の角度（例えば１０．５°）まで傾斜できるようになっている。
【００１９】
［支柱立設具１の取り付け方法］
次に、支柱立設具１の取り付け（組み立て）方法について図２（ａ），（ｂ）及び図３を参照して説明する。以下の一連の作業は作業者によって実施される。まず、歩行路等の路面（地面又は床面等）に基台３を設置すべき位置を決定する。そして、予め基台３の第２の挿通孔３１，３１の裏面から固定ボルト３３，３３を仮止めしておく。具体的には、第２の挿通孔３１，３１に裏側から四本の固定ボルト３３を挿入し、図１に示すように上方に露出させ、更に、露出部分に図２（ｂ）に示すようにワッシャ３５，３５を介してナット３６，３６をねじ込んで仮止めしておく。或いは、ワッシャ３５，３５を取り付けず、ゴム輪等によって抜けないようにしてもよい。
【００２０】
次いで、基台３の第３の挿通孔３２，３２に合致させるようにして予め路面（地面又は床面等）にコンクリート等によって固定した図示しない４本のアンカーボルトに基台３の第３の挿通孔３２，３２を挿通する。そして、第３の挿通孔３２，３２から上方に露出した図示しないアンカーボルトに図示しないナットを取り付けて基台３を路面（地面又は床面等）に固定する。尚、地中に埋設するアンカーボルトは歩行路等の路面（地面又は床面等）に対して垂直になるようにして取り付ける。
【００２１】
そして、固定ボルト３３，３３のそれぞれに仮止めしていたワッシャ３５，３５及びナット３６，３６のそれぞれを取り外すと共に（ゴム輪を用いた場合にはゴム輪を取り外す）、図２（ｂ）に示すように、基台３に支柱支持体２を取り付ける。支柱支持体２の基台３への取り付けは、基台３の凹部３４に支柱支持体２の凸部２７を遊嵌して位置決めし、その状態で固定ボルト３３，３３を第１の挿通孔２１ａ，２１ａに挿通した後、さらに支柱支持体２を下降させ、支柱支持体２を基台３に載置する。路面（地面又は床面等）が水平である場合、基台３は図２（ｂ）に示すように水平位置になり、従って、支柱支持体２の支柱保持部２１は基台３の設置面に対して鉛直状態になる。ここで、上記したように取り外した四組のワッシャ３５，３５を固定ボルト３３，３３に被せ、さらにナット３６，３６を固定ボルト３３，３３に螺合する。そして、４つのナット３６，３６を同じ締め高さでねじ込んでいき、支柱保持部２１が水平になるようにしながら締め付けると図２（ａ）に示す状態になる。
【００２２】
一方、路面（地面又は床面等）が水平ではなく傾斜している場合には、基台３は図３に示すように水平面に対して傾斜して配置されることになる。従って、支柱支持体２の支柱保持部２１は鉛直となるように基台３の設置面に対して傾斜するようにして位置決めされることになる。この場合、凸部２７を基点として凹部３４内で揺動させながら支柱保持部２１が鉛直となるように傾斜させ、所望の角度となったらその状態を維持しながら固定ボルト３３，３３にワッシャ３５，３５を被せ、さらに固定ボルト３３，３３にナット３６，３６のねじ込み量を加減しながらしっかりと螺合する。そして、支柱保持部２１が鉛直状態を保持するようにしてナット３６，３６をそれぞれ締め付けて固定する。
【００２３】
支柱立設具１を図２（ｂ）又は図３に示すように路面（地面又は床面等）１０に取り付けた後、図４に示すように、支柱保持部２１内に支柱４の下端側を挿入して、その外側から図示しないネジ等によって支柱４を支柱保持部２１に固定する。そして、支柱４の頂部に継ぎ手５を取り付け、継ぎ手５に手摺り６を取り付ける。
【００２４】
［実施形態の効果］
本実施形態に係る支柱立設具１によれば、支柱支持体２の支柱保持部２１の底部に凸部２７を設け、基台３に凹部３４を設けたことにより、凸部２７を基点として基台３に対して支柱支持体２の角度を自由に設定でき、その設定後、ボルト３３とナット３６とによって簡単に支柱支持体２を固定することができるので、簡単に組み付けができるという効果がある。
【００２５】
また、主要な構成部品が支柱支持体２と基台３であるため、部品点数の低減及びコストダウンを図ることができるという効果がある。
【００２６】
さらに、支柱支持体２及び基台３は簡単に取り外しが可能であるため、メンテナンス性を向上するという効果がある。
【００２７】
以上のように、好ましい実施形態について説明したが、本発明は係る特定の実施形態に限定されるものではなく、特許請求の範囲に記載された本発明の要旨の範囲内において、種々の変形・変更が可能であることはいうまでもない。例えば、案内板や立て看板の支柱、照明器具の支柱等に適用することも可能である。
【符号の説明】
【００２８】
１      支柱立設具
２      支柱支持体
３      基台
４      支柱
５      継ぎ手
６      手摺り
２１      支柱保持部
２１ａ      第１の挿通孔
２２      固定片
２２ａ      ドーム部
２３      凸部
３０      支柱保持部
３１      第２の挿通孔
３２      第３の挿通孔
３３      固定ボルト
３４      凹部
３５      ワッシャ
３６      ナット
３７      固定ボルト収容部
３７ａ      ザグリ加工
４０      カバー部材
【図１】
0005965690.tif 000002
【図２】
0005965690.tif 000003
【図３】
0005965690.tif 000004
【図４】
0005965690.tif 000005